(57)【要約】【課題】  テレビを使用していない時にはループスルーアンプは必要ないため、この電源を切り、消費電力を抑える。【解決手段】  ＭＣＵ２０は、テレビ３０の消費電流を消費電力判定回路１９で監視し、テレビ３０の電源が入っていない時はループスルーアンプ１４用のアンプ電源をループスルーアンプ電源スイッチ１７によってカットする。また、テレビ３０が視聴されている時、または番組表取得時などでテレビ３０の電源が入っているときは同ループスルーアンプ１４に電源を供給するので、問題なくテレビ３０が使用できる。【選択図】  図１
2015159422.tif 000002
【特許請求の範囲】
【請求項１】
アンテナ入力端子と、
アンテナ出力端子と、
前記アンテナ入力端子に接続されてテレビ放送波を受信するチューナと、
前記アンテナ入力端子と前記アンテナ出力端子との間に介在されて入力されるテレビ放送波を増幅して出力するループスルーアンプと、
ＡＣケーブルと、
前記ＡＣケーブルに接続されて内部機器への電源を供給する電源回路と、
前記電源回路から前記ループスルーアンプへの電源供給をオン・オフするループスルーアンプ電源スイッチと、
前記ＡＣケーブルに接続されて外部機器への電源を供給するＡＣアウトレットと、
前記ＡＣケーブルから前記ＡＣアウトレットへの接続経路を監視して前記ＡＣアウトレットに接続される外部機器の消費電力の有無を判定する消費電力判定手段と、
前記消費電力判定手段で前記ＡＣアウトレットに接続される外部機器の消費電力が無いと判定されたときに前記ループスルーアンプ電源スイッチをオフとし、消費電力があると判定されたときに前記ループスルーアンプ電源スイッチをオンとする制御手段とを具備することを特徴とするテレビ放送受信装置。
【請求項２】
前記ＡＣケーブルから前記ＡＣアウトレットへの接続経路に介在されるＡＣアウトレットスイッチを備え、
前記制御手段は、前記消費電力判定手段で前記外部機器の消費電力が所定の値よりも大きいと判定されたときに前記ＡＣアウトレットスイッチをオフにして遮断することを特徴とする請求項１に記載のテレビ放送受信装置。
【請求項３】
前記消費電力判定手段で前記外部機器の消費電力があると判定された時間を経時するタイマと、
前記制御手段は、前記タイマでの経時時間が所定時間を超えたときに前記ＡＣアウトレットスイッチをオフにすることを特徴とする請求項２に記載のテレビ放送受信装置。
【請求項４】
前記電源回路によって充電可能な電池と、
この電池の直流出力を商用交流出力に変換するＤＣ／ＡＣインバータと、
前記ＤＣ／ＡＣインバータの商用交流出力を前記ＡＣケーブルからの商用交流入力に置き換える入力切換スイッチとを備え、
前記制御手段は、前記ＡＣケーブルからの商用交流入力が無いときに、前記ＡＣケーブルからの商用交流入力に対して、前記電池から前記ＤＣ／ＡＣインバータを介して得られる商用交流出力で置き換えることを特徴とする請求項１〜請求項３のいずれかに記載のテレビ放送受信装置。
【請求項５】
緊急地震速報を検知する緊急地震速報検知手段と、
前記制御手段は、前記緊急地震速報検知手段で緊急地震速報を検知すると、前記ＡＣケーブルからの商用交流入力に対して、前記電池から前記ＤＣ／ＡＣインバータを介して得られる商用交流出力で置き換えることを特徴とする請求項４に記載のテレビ放送受信装置。
【請求項６】
前記ＡＣケーブルに接続されて外部機器への電源を供給する第二のＡＣアウトレットと、
前記ＡＣケーブルから前記第二のＡＣアウトレットへの接続経路に介在される第二のＡＣアウトレットスイッチを備え、
前記制御手段は、前記消費電力判定手段で前記ＡＣアウトレットに接続される外部機器の消費電力が無いと判定されたときに前記第二のＡＣアウトレットスイッチをオフにして遮断することを特徴とする請求項１〜請求項５のいずれかに記載のテレビ放送受信装置。
【請求項７】
前記消費電力判定手段は、前記ＡＣケーブルから前記ＡＣアウトレットへの接続経路で起電力を監視して前記ＡＣアウトレットに接続される外部機器の消費電力の有無を判定することを特徴とする請求項１〜請求項６のいずれかに記載のテレビ放送受信装置。
【発明の詳細な説明】
【技術分野】
【０００１】
本発明は、外部機器へのＡＣアウトレットを備えるテレビ放送受信装置に関する。
【背景技術】
【０００２】
録画再生装置などのテレビ以外のテレビ放送受信装置は、通常、テレビへＡＣ電源を供給するＡＣアウトレットを備えていることが多い。また、アンテナ入力端子と、アンテナ出力端子とを備え、前記アンテナ入力端子と前記アンテナ出力端子との間にループスルーアンプを介在させ、前記アンテナ入力端子から入力されるテレビ放送波を増幅して前記アンテナ出力端子から出力している。これは、自分自身のチューナで前記アンテナ入力端子から入力されるテレビ放送波を受信する必要があるのに加え、テレビにも放送波を分配する必要があるので十分な放送波の信号強度を確保するためである。
【０００３】
一方、不使用時の電力消費を遮断するため、特許文献１〜４に開示される技術が知られている。
特許文献１は、ループスルー機能を有する受信装置において、受信した信号を高品質の状態で外部に出力するとともに消費電力の抑制を可能にする受信装置および受信システムに関する。特許文献１の段落００４１と図１には「スイッチ部ＳＷ４を介してループスルー出力端子２に接続される。出力端子２には後段の受信機Ｂから直流の電源電圧Ｖａが供給されている。スイッチ部ＳＷ４が導通状態のときには高周波増幅器３に電源電圧Ｖａが供給され、スイッチ部ＳＷ４が非導通状態のときには高周波増幅器３への電源電圧Ｖａの供給が遮断」との開示がある。
【０００４】
特許文献２は、受信性能を低下させることなく、低消費電力性を備えた衛星・地上波複合チューナを実現する複合チューナに関する。特許文献２の段落００１５と図１には「衛星放送チューナ部は、衛星放送信号を増幅する高周波アンプを含む。そして、総合利得制御手段は、衛星放送復調部が休止状態のときに、高周波アンプの電源を遮断する」との開示がある。
【０００５】
特許文献３は、効果的に消費電力を削減し縦続接続および単独の衛星受信機のいずれによる使用にも適した衛星受信機および衛星受信機操作方法に関する。特許文献３の段落００２７と図２には「受信機、衛星受信機２２０、及び外部受信機がいずれもスタンバイモード状態にある場合、スイッチ１７０の状態に関係なく制御経路２３０にはＬＮＢ電源電圧が印加されていない。この場合、ＩＦ増幅器９０に対する電源電圧は遮断される」との開示がある。
【０００６】
特許文献４は、低電力モードで電力消費を低減するための受信器および方法に関し、特に、デジタル伝送において待機モードにおける電力消費を低減するための受信器装置および電力制御方法に関する。特許文献４の段落００１２と図２には「メインユニット内の一部の部品（例えば、デコーダ、チューナなど）に接続されるスイッチング手段２８であって、低電力ユニット２３が電力切換命令２５を検出するとこれら一部の部品を現在の電力オン動作モード状態から低電力動作モード状態に切り換えるためのスイッチング手段」との開示がある。
【先行技術文献】
【特許文献】
【０００７】
【特許文献１】特開２０１３−００９２２６号公報
【特許文献２】特開２００９−１８８５１５号公報
【特許文献３】特開２００３−１１０４４７号公報
【特許文献４】特表２００７−５１６６３１号公報
【発明の概要】
【発明が解決しようとする課題】
【０００８】
テレビが使用されていない時でもループスルーアンプへの電力供給を行っており、その分の消費電力が無駄になっていた。
特許文献１〜特許文献４に示す技術は、内部機器を使用しないときに関連する内部機器などへの通電を遮断するに過ぎず、テレビなどの外部機器との関連性が無かった。
本発明は、テレビを使用していない時にはループスルーアンプは必要ないため、この電源を切り、消費電力を抑える。
【課題を解決するための手段】
【０００９】
本発明は、アンテナ入力端子と、アンテナ出力端子と、前記アンテナ入力端子に接続されてテレビ放送波を受信するチューナと、前記アンテナ入力端子と前記アンテナ出力端子との間に介在されて入力されるテレビ放送波を増幅して出力するループスルーアンプと、ＡＣケーブルと、前記ＡＣケーブルに接続されて内部機器への電源を供給する電源回路と、前記電源回路から前記ループスルーアンプへの電源供給をオン・オフするループスルーアンプ電源スイッチと、前記ＡＣケーブルに接続されて外部機器への電源を供給するＡＣアウトレットと、前記ＡＣケーブルから前記ＡＣアウトレットへの接続経路を監視して前記ＡＣアウトレットに接続される外部機器の消費電力の有無を判定する消費電力判定手段と、前記消費電力判定手段で前記ＡＣアウトレットに接続される外部機器の消費電力が無いと判定されたときに前記ループスルーアンプ電源スイッチをオフとし、消費電力があると判定されたときに前記ループスルーアンプ電源スイッチをオンとする制御手段とを具備する構成としてある。
【００１０】
前記構成において、前記アンテナ入力端子と前記アンテナ出力端子との間にはループスルーアンプが介在され、前記アンテナ入力端子から入力されるテレビ放送波を増幅して前記前記アンテナ出力端子から出力する。また、前記制御手段は、前記消費電力判定手段で前記ＡＣアウトレットに接続される外部機器の消費電力が無いと判定されたときに前記ループスルーアンプ電源スイッチをオフとし、消費電力があると判定されたときに前記ループスルーアンプ電源スイッチをオンとする。
【００１１】
テレビを前記ＡＣアウトレットに接続し、同テレビをオフにした場合には、外部機器の消費電力が無いと判定されて前記ループスルーアンプ電源スイッチをオフとして前記電源回路から前記ループスルーアンプへの電源供給路を遮断し、前記ループスルーアンプによる無駄な電力消費は遮断される。一方、同テレビをオンにした場合は、消費電力があると判定されて前記ループスルーアンプ電源スイッチをオンとするので前記ループスルーアンプは稼働し、前記アンテナ出力端子からの放送波を入力する外部機器は十分な信号強度を得られることになる。なお、消費電力があるか無いかは、所定のしきい値との比較で判断すればよい。
【発明の効果】
【００１２】
本発明によれば、ＡＣアウトレットにテレビが接続されることを想定し、テレビを使用していない時にはループスルーアンプは必要ないため、この電源を切り、消費電力を抑えることができる。すなわち、テレビの消費電流を本テレビ放送受信装置としてのレコーダーなどで監視し、その電流が少ない時にはテレビが使用されていないと判断してループスルーアンプの電源を切る事ができる。
【図面の簡単な説明】
【００１３】
【図１】本発明の第一実施例にかかるテレビ放送受信装置が適用される録画再生装置の概略ブロック図である。
【図２】本発明の第二実施例にかかるテレビ放送受信装置が適用される録画再生装置の概略ブロック図である。
【図３】第二実施例におけるテレビ放送受信装置での処理手順を示すフローチャートである。
【図４】本発明の第三実施例にかかるテレビ放送受信装置が適用される録画再生装置の概略ブロック図である。
【図５】第三実施例におけるテレビ放送受信装置での処理手順を示すフローチャートである。
【図６】本発明の第四実施例にかかるテレビ放送受信装置が適用される録画再生装置の概略ブロック図である。
【図７】本発明の第五実施例にかかるテレビ放送受信装置が適用される録画再生装置の概略ブロック図である。
【図８】本発明の第六実施例にかかるテレビ放送受信装置が適用される録画再生装置の概略ブロック図である。
【発明を実施するための形態】
【００１４】
（第一実施例）
以下、図面にもとづいて本発明の実施形態を説明する。
図１は、本発明の一実施形態にかかるテレビ放送受信装置が適用される録画再生装置をブロック図により示している。
同図において、外部のアンテナが所定のケーブルを介して接続されるアンテナ入力端子１１には、テレビ放送波を受信するチューナ１２が接続されている。本テレビ放送受信装置１０は、外部機器、例えばテレビを接続することを想定したアンテナ出力端子１３が備えられている。アンテナ出力端子１３はスルーアウト端子とも呼ばれており、チューナ１２内には、アンテナ入力端子１１とアンテナ出力端子１３との間に介在されて入力されるテレビ放送波を増幅して出力するループスルーアンプ１４が備えられている。テレビ放送波を増幅して出力するのでいわゆるアクティブスルーと呼ばれるものとなっている。チューナ１２はアンテナ入力端子１１に接続されて指定されたチャンネルのテレビ放送波を受信する。
【００１５】
ＡＣケーブル１５は、本テレビ放送受信装置１０の駆動電力を商用電源コンセントから得るものであり、内部機器への電源を供給する電源回路１６が本ＡＣケーブルに接続されている。電源回路１６が電力を供給する相手の一つとしてループスルーアンプ１４が含まれており、また、電源回路１６からループスルーアンプ１４への電源供給路には、ループスルーアンプ電源スイッチ１７が介在されており、所定の制御に対応して電源供給路を導通させたり遮断させたりする。
【００１６】
ＡＣケーブル１５には、外部機器への電源を供給するＡＣアウトレット１８も接続されている。ＡＣケーブル１５からＡＣアウトレット１８への接続経路には、コイル状のセンサーによって起電力を監視してＡＣアウトレット１８に接続される外部機器の消費電力の有無を判定する消費電力判定回路１９が備えられている。消費電力判定回路１９は正確な消費電流の検出をする必要はなく、簡易な構成で実現して構わない。例えば、ＡＣケーブル１５からＡＣアウトレット１８への接続経路となる二本のケーブルをそれぞれ流れる電流が同じ向きとなるように鉄心に巻き付け、さらに同じ鉄心に検出用のコイル芯線を巻き付け、コイル芯線の両端出力を整流して起電力を検出できる。むろん、より複雑な構成で正確に消費電流を検出しても良い。消費電流の有無を判定する場合、一定のしきい値と比較して判定すればよい。例えば、微少な消費電流が流れているとしても、それに伴う起電力としきい値とを比較し、同起電力の方が小さければ消費電力は無いと判定すればよい。また、判定は消費電流の相当値を出力することも含む。すなわち、消費電力判定回路１９が単独で消費電流の有無を判定するのであれば、消費電力判定回路１９が消費電力判定手段に相当する。一方、消費電力判定回路１９が消費電流を検知し、後述するＭＣＵ２０がしきい値と比較して判定結果を得るのであれば、消費電力判定回路１９とＭＣＵ２０とが消費電力判定手段に相当する。
【００１７】
ＭＣＵ２０は、本テレビ放送受信装置１０の各種の制御を実行する。例えば、図示しない操作パネルやリモコンなどを介してユーザの操作を監視し、受信するチャンネルを検知してチューナ１２に対して同チャンネルのテレビ放送波を受信させる。同様に図示しない録画再生ユニットを制御してテレビ放送を録画したり、録画済み番組の再生なども制御する。
【００１８】
また、ＭＣＵ２０は、消費電力判定回路１９の判定結果を入力しており、消費電力判定回路１９でＡＣアウトレット１８に接続される外部機器の消費電力が無いと判定されたときにループスルーアンプ電源スイッチ１７をオフとし、消費電力判定回路１９でＡＣアウトレット１８に接続される外部機器の消費電力があると判定されたときにループスルーアンプ電源スイッチ１７をオンとする。すなわち、ＭＣＵ２０は制御手段に相当する。ＭＣＵ２０が消費電力判定回路１９の判定結果を入力するにあたり、同消費電力判定回路１９が判定結果を二値の出力を入力しても良いし、消費電力判定回路１９が消費電流に相当するアナログの信号値を出力する場合に同アナログ値をＡ／Ｄポートで入力し、ＭＣＵ２０がしきい値と比較するようにしても良い。
外部機器としてテレビ３０のＡＣケーブルがＡＣアウトレット１８に接続され、アンテナ端子は所定のケーブルを介してアンテナ出力端子１３に接続されている。
【００１９】
前記構成において、テレビ３０をオフにしていれば待機時の微少電流を除いてほぼ消費電流は無い。このため、ＡＣケーブル１５からＡＣアウトレット１８への接続経路にもほぼ電流は流れない。この結果、消費電力判定回路１９ではＡＣアウトレット１８に接続される外部機器の消費電力が無いと判定する。すると、ＭＣＵ２０は、消費電力判定回路１９における外部機器の消費電力が無いとの判定を得て、ループスルーアンプ電源スイッチ１７をオフとする。これにより、テレビ３０がオフであるにもかかわらずループスルーアンプ１４が電力を消費し続けることを防止する。
【００２０】
一方、ユーザがテレビ３０をオンにすると、消費電流は増加する。すなわい、ＡＣケーブル１５からＡＣアウトレット１８への接続経路に消費電流が流れ、消費電力判定回路１９ではＡＣアウトレット１８に接続される外部機器の消費電力があると判定する。すると、ＭＣＵ２０は、消費電力判定回路１９における外部機器の消費電力があるとの判定を得て、ループスルーアンプ電源スイッチ１７をオンとする。これにより、ループスルーアンプ１４は必要な電力の供給を受けてアンテナ入力端子１１から入力されるテレビ放送波を増幅してアンテナ出力端子１３へと出力し、同アンテナ出力端子１３に接続されているテレビ３０は所定の信号強度となったテレビ放送波を受信してテレビ放送を表示することができるようになる。
【００２１】
このように、本実施例では、テレビ３０の消費電流を監視し、テレビ３０の電源が入っていない時はループスルーアンプ１４用のアンプ電源をループスルーアンプ電源スイッチ１７によってカットする。また、テレビ３０が視聴されている時、または番組表取得時などでテレビ３０の電源が入っているときは同ループスルーアンプ１４に電源を供給するので、問題なくテレビ３０が使用できる。
なお、テレビ３０によって消費電流は異なるので、消費電力の有無を判定するしきい値はユーザによる設定で変更できるようにしても良い。
【００２２】
（第二実施例）
図２は、本発明の第二実施例にかかるテレビ放送受信装置が適用される録画再生装置を概略ブロック図により示している。
本実施例では、ＡＣケーブル１５からＡＣアウトレット１８への接続経路にＡＣアウトレットスイッチ２１が介在されており、同ＡＣアウトレットスイッチ２１はＭＣＵ２０による制御に基づいて接続経路を導通させたり遮断させたりすることが可能である。ＡＣアウトレットスイッチ２１は、通常時はオンであり、オフにされた後は設定画面からオンに戻せるようになっている。
【００２３】
ＭＣＵ２０は、消費電力判定回路１９でＡＣアウトレット１８に接続された外部機器の消費電力が所定の値よりも大きいと判定されたときにＡＣアウトレットスイッチ２１をオフにして遮断する。この所定のあたりは、テレビ３０をＡＣアウトレット１８に接続した場合に想定し得る消費電流よりも大きな値である。この想定し得る消費電流よりも大きな値の消費電流が生じている状況は、異常事態と考えられる。このため、外部機器の異常と判断して早期に電源を遮断する。
【００２４】
図３は、第二実施例におけるテレビ放送受信装置での処理手順を示すフローチャートである。
ＭＣＵ２０は、ステップＳ１００において、異常事態フラグがオフか判断する。初期設定では同フラグはオフとしてある。オフである場合、ステップＳ１０２にて、ＭＣＵ２０は起電力を検知する。起電力を検知するためには、消費電力判定回路１９によって検知した消費電流を取得する。そして、ステップＳ１０４では、検知された消費電流が、予め設定しておいた異常電流しきい値を超えているか判断する。外部機器であるテレビ３０に異常がなければ消費電流は正常の範囲であるから、ステップＳ１０４では、検知された消費電流は異常電流しきい値を超えていないと判断し、このフローチャートを終了する。
しかし、検知された消費電流が異常電流しきい値を超えている場合は、何らかの異常と考えられるので、ＭＣＵ２０は、ステップＳ１０６にて、ＡＣアウトレットスイッチ２１をオフにする。これにより外部機器へのＡＣ電力が遮断され、さらなる被害の拡大を防止できる。
【００２５】
また、ＭＣＵ２０は、ステップＳ１０８にて異常事態フラグをオンにする。この異常事態フラグをオンにすると、次に本処理を実行しても、ステップＳ１００にて異常事態フラグがオンと判断され、それ以降の処理を実施しない。なお、異常事態フラグは本テレビ放送受信装置１０の設定画面などでリセットできるようにしておく。ユーザはテレビ３０の異常に対処した後、同設定画面で異常事態フラグをオフにするとともにＡＣアウトレットスイッチ２１をオンとさせることで、再度、本処理を実行できるようになる。
このように、本実施例では、第一実施例の構成に、テレビ３０側への電源にＡＣアウトレットスイッチ２１を設けており、テレビ３０の消費電流が異常となった場合に、本レコーダーでこれを検知し、同ＡＣアウトレットスイッチ２１を切ることで、テレビ３０の発煙や発火を未然に防ぐことができるようになる。
【００２６】
（第三実施例）
図４は、本発明の第三実施例にかかるテレビ放送受信装置が適用される録画再生装置を概略ブロック図により示している。
本実施例では、第二実施例の構成に加えて、消費電力判定回路１９で外部機器の消費電力があると判定された時間を経時するタイマ２２を備えている。ＭＣＵ２０は、タイマ２２に対して計時の開始、計時時間の取得、計時時間のリセットなどを指示することが可能である。本実施例では、ＭＣＵ２０の外部にタイマ２２が独立して存在しているが、ソフトウェア処理によって同等の機能をＭＣＵ２０だけで実現しても良い。
【００２７】
図５は、第三実施例におけるテレビ放送受信装置での処理手順を示すフローチャートである。
ＭＣＵ２０は、ステップＳ１２０にてステップＳ１０２と同様に、起電力を検知する。そして、ステップＳ１２２にて、ＭＣＵ２０は、消費電流がオン判定しきい値を超えているか判断する。オン判定しきい値とは、ＡＣアウトレット１８に接続された外部機器の電源が入っていると判断して良い消費電流よりも少しだけ小さい値である。ユーザがテレビ３０の電源を入れていれば、消費電流がオン判定しきい値を超えていると判断され、ＭＣＵ２０は、ステップＳ１２４にて、タイマ２２に対して累積時間を加算させる。続く、ステップＳ１２６では、ＭＣＵ２０はタイマ２２から累積時間を取得し、同累積時間が一日の視聴時間を経過しているか判断する。一日の視聴時間とはユーザが予め許可している最大の視聴時間である。例えば、子供がテレビを長時間見ないように３時間と設定しておくということが可能である。テレビ３０の電源が入っていればタイマ２２は累積時間を随時加算するので、タイマ２２から累積時間を取得して一日の視聴時間と比較すれば、一日の視聴時間を超えているか否かが分かる。そして、超えているのであれば、ＭＣＵ２０は、ステップＳ１２８にてＡＣアウトレットスイッチ２１をオフにする。すなわち、ＭＣＵ２０は、タイマ２２での経時時間（累積時間）が所定時間を超えたときにＡＣアウトレットスイッチ２１をオフにする。これによりテレビ３０の側で電源スイッチを操作しても、テレビ３０へは電力が供給されていないので、同テレビ３０を視聴することはできなくなる。
【００２８】
一方、視聴時間は一日ごとにリセットすべきであるから、ＭＣＵ２０は、ステップＳ１３０にて、現在時刻が一日の区切り時刻を経過したか判断する。一日の区切り時刻は深夜０時でも良いが、深夜０時をまたいでテレビを見続けることもあるから、夜更かしすることを想定すると、一日の区切り時刻はむしろ明け方の４時前後の方が実効的である。そして、現在時刻が一日の区切り時刻を経過した場合は、ＭＣＵ２０は、ステップＳ１３２にて、タイマ２２に対して累積時間をリセットするように指示する。
【００２９】
このように、本実施例では、テレビ３０の電源がオンとなっている時間を計測し、累積時間が予め決められた時間を過ぎた場合はテレビ３０の電源を切る。これにより、一日のテレビの使用時間を制限することができ、省エネおよび子供のテレビ視聴時間の制限などを行える。
【００３０】
（第四実施例）
図６は、本発明の第四実施例にかかるテレビ放送受信装置が適用される録画再生装置を概略ブロック図により示している。
本実施例では、電源回路１６によって充電可能な二次電池２３と、この二次電池２３の直流出力を商用交流出力に変換するＤＣ／ＡＣインバータ２４と、ＤＣ／ＡＣインバータ２４の商用交流出力をＡＣケーブル１５からの商用交流入力に置き換える入力切換スイッチ２５とを備えている。
通常時は、ＡＣケーブル１５から商用交流入力が得られているので、入力切換スイッチ２５はＡＣケーブル１５の側を選択している。しかし、ＭＣＵ２０は、ＡＣケーブル１５からの商用交流入力が無いときに、ＡＣケーブル１５からの商用交流入力に対して、二次電池２３からＤＣ／ＡＣインバータ２４を介して得られる商用交流出力で置き換える。
【００３１】
例えば、停電が検知されたときに二次電池２３からＤＣ／ＡＣインバータ２４を介してＡＣアウトレット１８に商用交流出力を供給することもでき、停電でもテレビ３０を視聴できるようになる。なお、ＤＣ／ＡＣインバータ２４を介して得られる商用交流出力は電源回路１６へも供給されているので、停電でもＭＣＵ２０は必要な処理を実施できる。
【００３２】
このように、本実施例では、第一実施例の構成に、二次電池２３と、ＤＣ／ＡＣインバータ２４と、商用交流とＤＣ／ＡＣインバータ２４の出力とを選択できる入力切換スイッチ２５を設けており、これにより、停電となった場合でも、テレビ３０と本テレビ放送受信装置１０であるレコーダーがある程度の時間、使用できる状態を保つことができる。
【００３３】
（第五実施例）
図７は、本発明の第五実施例にかかるテレビ放送受信装置が適用される録画再生装置を概略ブロック図により示している。
本実施例では、第四実施例の構成に加え、緊急地震速報を検知する緊急地震速報検知回路２６を備えている。緊急地震速報検知回路２６が緊急地震速報検知手段に相当する。
【００３４】
緊急地震速報検知回路２６は、チューナ１２で受信したテレビ放送に含まれる緊急地震速報を解析して緊急地震速報を検知し、検知内容をＭＣＵ２０に通知する。緊急地震速報を検知できても停電でテレビ３０が見られないようでは同緊急地震速報を有効利用できないので、ＭＣＵ２０は、緊急地震速報検知回路２６で緊急地震速報を検知したことを通知されると、ＡＣケーブル１５からの商用交流入力に対して、二次電池２３からＤＣ／ＡＣインバータ２４を介して得られる商用交流出力で置き換える。
【００３５】
本実施例では、ＡＣケーブル１５からの商用交流入力が有効であっても、二次電池２３からＤＣ／ＡＣインバータ２４を介して得られる商用交流出力で置き換えている。緊急時であるので、確実にテレビ３０を見られるようにすべく、二次電池２３からＤＣ／ＡＣインバータ２４を介して得られる商用交流出力で置き換えている。
このように、本実施例は、第四実施例の構成に、緊急地震速報を解析／検出できる機能を設けており、緊急地震速報を受信した場合、本テレビ放送受信装置１０であるレコーダーがこれを検出し、テレビ３０より緊急地震速報を発報することができる。また、テレビ３０の電源が入っていないときに緊急地震速報を受信した場合でも、本テレビ放送受信装置１０であるレコーダーがこれを検出し、ＨＤＭＩ（登録商標）のＣＥＣ機能を用いてテレビ３０の電源をオンにして、テレビ３０より緊急地震速報を発報するようにしてもよい。また、この動作と同時に電源をＤＣ／ＡＣインバータ２４側に切り替えることで、地震と同時に停電が発生したとしても、確実に緊急地震速報を発報することができる。
【００３６】
（第六実施例）
図８は、本発明の第六実施例にかかるテレビ放送受信装置が適用される録画再生装置を概略ブロック図により示している。
本実施例では、ＡＣケーブル１５に接続されて外部機器への電源を供給する第二のＡＣアウトレット２７と、ＡＣケーブル１５から第二のＡＣアウトレット２７への接続経路に介在される第二のＡＣアウトレットスイッチ２９を備えている。
そして、ＭＣＵ２０は、消費電力判定回路１９でＡＣアウトレット１８に接続されるテレビ３０（外部機器）の消費電力が無いと判定されたときに、第二のＡＣアウトレットスイッチ２９をオフにして遮断する。
【００３７】
このように、本実施例では、更に外部に接続できる出力端子（ＡＣアウトレット２９）を設けている。これにより、テレビ３０と同時でなければ使用できない外部機器２８（ゲーム機など）の電源も制御できるので、これらの待機電力を抑えることができる。
なお、本発明は前記実施例に限られるものでないことは言うまでもない。当業者であれば言うまでもないことであるが、
【００３８】
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３９】
１０…テレビ放送受信装置、１１…アンテナ入力端子、１２…チューナ、１３…アンテナ出力端子、１４…ループスルーアンプ、１５…ＡＣケーブル、１６…電源回路、１７…ループスルーアンプ電源スイッチ、１８…ＡＣアウトレット、１９…消費電力判定回路、２０…ＭＣＵ、２１…ＡＣアウトレットスイッチ、２２…タイマ、２３…二次電池、２４…ＤＣ／ＡＣインバータ、２５…入力切換スイッチ、２６…緊急地震速報検知回路、２７…第二のＡＣアウトレット、２９…ＡＣアウトレットスイッチ、３０…テレビ。
【図１】
2015159422.tif 000003
【図２】
2015159422.tif 000004
【図３】
2015159422.tif 000005
【図４】
2015159422.tif 000006
【図５】
2015159422.tif 000007
【図６】
2015159422.tif 000008
【図７】
2015159422.tif 000009
【図８】
2015159422.tif 000010